(57)【特許請求の範囲】
【請求項１】
外部との間を仕切る隔壁がすべて気密に構成された内視鏡に、内視鏡内部から外部へは気体を通過させ内視鏡外部から内部へは気体を通過させない逆止弁を着脱自在に取り付けられるようにしたものにおいて、
通常は閉じていて上記逆止弁が取り付けられることによって開く内外連通弁を内視鏡の隔壁部に設けて、その内外連通弁に対して上記逆止弁を着脱自在に取り付けられるようにすると共に、上記内外連通弁から上記逆止弁が取り外される動作の際に、上記内外連通弁と上記逆止弁とが強制的に同時に開いた状態にされて内視鏡の内部と外部とが連通する強制連通過程を設けたことを特徴とする内視鏡の内圧調整装置。
【請求項２】
上記逆止弁は、外力が加えられていない状態では上記強制連通過程を維持することができない請求項１記載の内視鏡の内圧調整装置。
【請求項３】
上記内外連通弁が、光源装置に着脱自在に接続されるライトガイドコネクタに設けられていて、上記内外連通弁に上記逆止弁が取り付けられた状態では、上記光源装置に対する上記ライトガイドコネクタの接続が妨げられる請求項１又は２記載の内視鏡の内圧調整装置。
【請求項４】
上記内外連通弁に上記逆止弁が取り付けられた状態においては、上記内外連通弁が、開いた状態に機械的に固定されている請求項１又は３記載の内視鏡の内圧調整装置。
【請求項５】
外部との間を仕切る隔壁がすべて気密に構成された内視鏡に、内視鏡内部から外部へは気体を通過させ内視鏡外部から内部へは気体を通過させない逆止弁を設けたものにおいて、
上記逆止弁に対して着脱自在なアダプタを設け、上記逆止弁から上記アダプタが取り外される動作の際に、上記逆止弁が強制的に開いた状態にされて内視鏡の内部と外部とが連通する強制連通過程を設けたことを特徴とする内視鏡の内圧調整装置。
【発明の詳細な説明】
【０００１】
【産業上の利用分野】
この発明は、オートクレーブ又はエチレンオキサイドガス（ＥＯＧ）などによって滅菌されることのある内視鏡の内圧調整装置に関する。
【０００２】
【従来の技術】
内視鏡を滅菌するためにエチレンオキサイドガスやオートクレーブなどを行うには、内視鏡を収容した滅菌室内を減圧する必要があり、内視鏡をそのような低圧環境に耐えられる構造にする必要がある。
【０００３】
その際問題になるのは、内視鏡の外装のなかで最も柔軟な部分、例えば一般にゴムで形成されている湾曲部の被覆チューブが、減圧時に膨らんで破裂してしまう場合があることである。
【０００４】
そこで従来は、内視鏡内部から外部へは気体を通過させ、内視鏡外部から内部へは気体を通過させない逆止弁を準備して、その逆止弁を、通常は閉じていて逆止弁が取り付けられた時だけ開くように内視鏡に設けた内外連通弁に着脱できるようにしていた（特開平５−２５３１６８号）。
【０００５】
このように逆止弁を取り付けることにより、減圧滅菌室内では内視鏡内の空気が外部へ抜けて内圧が下げられ、且つ滅菌時や洗浄時に蒸気、ガス又は洗浄水等が内視鏡内に侵入する恐れはない。
【０００６】
【発明が解決しようとする課題】
しかし、そのような構造をとると、内視鏡の滅菌処理が終了して逆止弁を内視鏡から取り外すことにより、それと同時に内外連通弁が閉じるので、内視鏡の内圧が大気圧に比べて低い状態のままになる。
【０００７】
すると、内視鏡の外装の中で最も柔軟な湾曲部の被覆チューブが、その内側の節輪の間に食い込んだ状態になるので、そのまま湾曲操作を行うと湾曲機構に著しく無理な力がかかって、故障や事故の原因になる場合がある。
【０００８】
そのような不都合が起きないように、逆止弁と内外連通弁を介して内視鏡の内外を連通させる手動のバイパス弁を、逆止弁に併設したものもある（特開平５−２５３１６８号）。
【０００９】
しかし、そのようなものでも、逆止弁を内視鏡から取り外す前にバイパス弁を手動操作を忘れてしまえば、内視鏡の内圧は低いままなので、上記と全く同じ不都合が発生してしまう。
【００１０】
そこで本発明は、柔軟な被覆部が破裂しないように内視鏡を減圧滅菌室に入れることができ、しかも減圧滅菌後は内視鏡の内圧を大気圧に自動的に近づけて、内視鏡を支障なく通常使用できるようにすることができる内視鏡の内圧調整装置を提供することを目的とする。
【００１１】
【課題を解決するための手段】
上記の目的を達成するため、本発明の内視鏡の内圧調整装置は、外部との間を仕切る隔壁がすべて気密に構成された内視鏡に、内視鏡内部から外部へは気体を通過させ内視鏡外部から内部へは気体を通過させない逆止弁を着脱自在に取り付けられるようにしたものにおいて、通常は閉じていて上記逆止弁が取り付けられることによって開く内外連通弁を内視鏡の隔壁部に設けて、その内外連通弁に対して上記逆止弁を着脱自在に取り付けられるようにすると共に、上記内外連通弁から上記逆止弁が取り外される動作の際に、上記内外連通弁と上記逆止弁とが強制的に同時に開いた状態にされて内視鏡の内部と外部とが連通する強制連通過程を設けたことを特徴とする。
【００１２】
なお、上記逆止弁は、外力が加えられていない状態では上記強制連通過程を維持することができないようにしてもよい。
また、上記内外連通弁を光源装置に着脱自在に接続されるライトガイドコネクタに設けて、上記内外連通弁に上記逆止弁が取り付けられた状態では、上記光源装置に対する上記ライトガイドコネクタの接続が妨げられるようにしてもよい。
【００１３】
また、上記内視鏡の内圧調整装置において、上記内外連通弁に上記逆止弁が取り付けられた状態においては、上記内外連通弁が、開いた状態に機械的に固定されるようにしてもよい。
【００１４】
また、本発明の内視鏡の内圧調整装置は、外部との間を仕切る隔壁がすべて気密に構成された内視鏡に、内視鏡内部から外部へは気体を通過させ内視鏡外部から内部へは気体を通過させない逆止弁を設けたものにおいて、上記逆止弁に対して着脱自在なアダプタを設け、上記逆止弁から上記アダプタが取り外される動作の際に、上記逆止弁が強制的に開いた状態にされて内視鏡の内部と外部とが連通する強制連通過程を設けたことを特徴とする。
【００１５】
【実施例】
図面を参照して実施例を説明する。
図２において、１は内視鏡であり、２はその操作部、３は可撓管からなる挿入部である。挿入部３の先端側には、操作部２からの遠隔操作によって屈曲自在な湾曲部４が形成されている。５は、操作部２に設けられた湾曲操作ノブである。
【００１６】
湾曲部４は小さな曲率半径で屈曲するので、柔軟なゴムチューブによって被覆されている。湾曲部４の先側には、対物光学系などを内蔵した先端部本体６が連結されている。
【００１７】
操作部２には、接眼部８が突設されている他、図示されていない光源装置に接続されるライトガイドコネクタ１０を先端に取り付けたライトガイド可撓管９が連結されている。
【００１８】
このように構成された内視鏡１は、パッキンやＯリング等によって、外部との隔壁がすべて気密に構成されていて、内部は湾曲部４内からライトガイドコネクタ１０内まで全体的に連通している。ただしライトガイドコネクタ１０には、逆止弁アダプタ３０の着脱によって開閉される内外連通弁２０が取り付けられている。
【００１９】
図３に示されるように、内外連通弁２０は、ライトガイドコネクタ１０の内部に連通する連通孔２１が穿設された取り付け座２２に取り付けられている。そして、連通孔２１の外側口元に対向して進退自在に配置された弁体２５が、弱い圧縮コイルバネ２４によって外方に付勢されて、弁受け２６に押し付けられている。
【００２０】
その弁体２５と弁受け２６の当接部には、シール用のＯリング２７が装着されている。また弁体２５の外縁部には、その前後を連通させるための切り欠き２５ａが形成されている。
【００２１】
２５ｂは、弁体２５が連通孔２１を塞いでしまわないように弁体２５に形成された通気路、２８は、弁受け２６に外側から取り付けられるアダプタ類を係合させるために、弁受け２６の外側壁に突設されたピンである。
【００２２】
したがって、通常は弁体２５が弁受け２６に押し付けられていて、Ｏリング２７によってライトガイドコネクタ１０の内側と外側との間は閉塞されている。そして弁体２５を、圧縮コイルバネ２４のばね力に抗して外側から内方に押し込めば、弁体２５が弁受け２６から離れて、ライトガイドコネクタ１０の内側と外側、即ち、内視鏡１の内と外とが連通する。
【００２３】
３０は、内外連通弁２０に着脱自在に取り付けられる逆止弁アダプタ３０であり、内外連通弁２０の弁受け２６に被せるように装着されるアダプタ筒３１の内側口元部には、内外連通弁２０側のピン２８と係合するガイド溝３２が形成されている。３３は、弁受け２６の外面に密着させるためのシール用Ｏリングである。
【００２４】
アダプタ筒３１内にテーパ状に形成された弁座３１ａに向けて、強い圧縮コイルバネ３７によって付勢された逆止弁３６が押し付けられていて、その逆止弁３６と弁座３１ａとの当接部には、シール用のＯリング３８が装着されている。
【００２５】
逆止弁３６の先端中央には、弁体２５を押すための押し棒３４が一体的に突設されている。その結果、逆止弁アダプタ３０を内外連通弁２０に取り付けると、この押し棒３４によって弁体２５が押し開かれる。
【００２６】
逆止弁３６と圧縮コイルバネ３７を支えるようにアダプタ筒３１に螺合する逆止弁支持筒３９の内周面には、逆止弁３６が緩く嵌合しており、逆止弁３６の外縁部には、その前後の空間を連通させるための切り欠き３６ａが形成されている。また、逆止弁支持筒３９の外端面には、逆止弁アダプタ３０の内外を連通させる通気路３９ａが穿設されている。
【００２７】
ガイド溝３２は、図４に示されるように、アダプタ筒３１の開口端から軸線方向に形成された直線ガイド部３２ａに連続して、「く」の字状に曲がった回転ガイド部３２ｂが形成されている。
【００２８】
したがって、逆止弁アダプタ３０を内外連通弁２０に取り付ける際には、内外連通弁２０のピン２８を、まず直線ガイド部３２ａ内に真っ直ぐに奥まで案内し、そこで逆止弁アダプタ３０を軸回りに回転させることにより、ピン２８が回転ガイド部３２ｂ内に案内される。
【００２９】
そして、ピン２８を回転ガイド部３２ｂの逆側の端部（Ａ部）まで案内すれば、逆止弁アダプタ３０が内外連通弁２０に対して抜けないようにしっかりと係合した状態になる。
【００３０】
図５は、逆止弁アダプタ３０が内外連通弁２０に取り付けられた状態を示している。
この状態では、逆止弁アダプタ３０側の押し棒３４が内外連通弁２０側の弁体２５の頂部とぶつかっており、逆止弁アダプタ３０側の圧縮コイルバネ３７の方が内外連通弁２０側の圧縮コイルバネ２４より強いので、内外連通弁２０側の圧縮コイルバネ２４がさらに圧縮され、弁体２５が内外連通弁２０内に押し込まれて弁受け２６から離れ、常に開いた状態になっている。
【００３１】
そして、外気の圧力がライトガイドコネクタ１０の内圧より一定以上低い状態になると、その圧力差によって逆止弁３６が圧縮コイルバネ３７の付勢力に抗して押し上げられ、その結果、図６に矢印で示されるような経路により、ライトガイドコネクタ１０内の空気が外方に流れ出て、内視鏡１の内部圧力が低下する。
【００３２】
逆に、ライトガイドコネクタ１０の内圧が外気圧より低いか同程度の状態では、逆止弁３６が弁座３１ａに押し付けられ、Ｏリング３８によってライトガイドコネクタ１０の内側と外側とが閉塞されて、ライトガイドコネクタ１０の外部から内部には空気や蒸気等が流れ込まない。
【００３３】
したがって、逆止弁アダプタ３０を内外連通弁２０に取り付けておけば、内視鏡１を減圧滅菌室内に入れて滅菌する際に、滅菌室内の気圧が低くなったとき、それに応じて内視鏡内から空気が流出して、内視鏡の内部圧力が外部圧力より高くならない状態に維持される。したがって、柔軟な被覆部が膨らんで破裂するようなことがない。内視鏡が高温の環境下に置かれた場合なども同様である。
【００３４】
内視鏡１の減圧滅菌が済んで、内視鏡１を滅菌室から取り出したら、逆止弁アダプタ３０を内外連通弁２０から取り外す。その操作は、取り付け時の操作と全く逆であり、ピン２８が回転ガイド部３２ｂから直線ガイド部３２ａを通ってガイド溝３２から抜けるように、逆止弁アダプタ３０を回転させてから引っ張ればよい。
【００３５】
その操作の途中で、ピン２８は、図４に示されるように、必ず「く」の字状の回転ガイド部３２ｂの中央凸部（Ｂ部）を通る。
するとその位置では、図１に示されるように、逆止弁アダプタ３０が内外連通弁２０に対して深く係合するので、弁体２５の底部がまず取り付け座２２に当接し、さらにそれより深い位置へ逆止弁アダプタ３０が案内されることによって、押し棒３４を介して、逆止弁３６が圧縮コイルバネ３７を縮める方向に押し開かれ、弁座３１ａから離れる。
【００３６】
その結果、内外連通弁２０と逆止弁アダプタ３０が共に強制的に開かれた状態になり、ライトガイドコネクタ１０内と外気との間、即ち内視鏡１の内部と外部との間が強制的に連通して、内視鏡１の内圧が大気圧に近づく。
【００３７】
このようにして、逆止弁アダプタ３０を内外連通弁２０から取り外す際には、その動作の途中で必ず内視鏡１内と外気とが連通して、真空に近い状態だった内視鏡１の内圧が、一挙に大気圧に近い圧力になる。そして、逆止弁アダプタ３０が内外連通弁２０から取り外されれば、それと共に弁体２５が閉じるので、内視鏡１は再び気密状態になる。
【００３８】
なお、ピン２８が回転ガイド部３２ｂのＢ部にある内外連通状態は、回転ガイド部３２ｂの斜面と圧縮コイルバネ３７の付勢力によって不安定な状態なので、逆止弁アダプタ３０が人の手などで押さえられていない限り維持されない。したがって、内視鏡１が内外連通状態のまま洗浄水などに漬けられて、水漏れ事故を起こすようなことはない。
【００３９】
また、図７に示されるように、ライトガイドコネクタ１０に逆止弁アダプタ３０が取り付けられた状態でライトガイドコネクタ１０を光源装置に接続しようとすると、逆止弁アダプタ３０が光源装置５０の接続部口元の凹部５１の縁部にぶつかるので、ライトガイドコネクタ１０を光源装置５０に接続することはできない。
【００４０】
したがって、内圧が低いまま内視鏡１が使用されて故障、事故を起こす恐れがない。なお、逆止弁アダプタ３０を取り外せば、ライトガイドコネクタ１０を光源装置５０に接続可能なことはもちろんである。
【００４１】
図８は本発明の第２の実施例の逆止弁アダプタ３０を示しており、アダプタ筒３１に軸線方向に植設されたピン４１に係合する筒状の外枠４２により、逆止弁アダプタ３０を囲んだものである。
【００４２】
このようにすることによって、手で握られる外枠４２に対して、内側の機構が相対的に回転はしないが軸線方向には移動できるので、内外連通弁２０に対する逆止弁アダプタ３０の着脱操作を楽に行うことができる。
【００４３】
図９は本発明の第３の実施例を示している。なお、第１の実施例と同じ機能を有する部分には、各々第１の実施例と同じ符号を付して、その詳細な説明は省略する。
【００４４】
この実施例においては、内外連通弁２０の弁体２５を強制的に押し開く押し棒３４が、逆止弁アダプタ３０のアダプタ筒３１に固定的に設けられていて、その周囲に通気孔４４が形成されている。
【００４５】
したがって、内外連通弁２０に逆止弁アダプタ３０が取り付けられれば、弁体２５が押し棒３４に押されて機械的に強制的に開かれた状態に固定される。その結果、逆止弁アダプタ３０内の逆止弁３６は圧縮コイルバネ３７だけで付勢されるので動作が安定しており、圧縮コイルバネ３７としては比較的弱いバネを用いればよい。
【００４６】
アダプタ筒３１の外側には、外筒４５が軸を中心に回転自在に嵌合しており、アダプタ筒３１の突端部側にネジ４６で固定された抜け止め蓋４８の下端部分によって、外筒４５が軸方向に移動しないように押さえられている。
【００４７】
外筒４５の内周面と抜け止め蓋４８の外周面及びアダプタ筒３１の外周面との間には、各々シール用のＸリング４９，４９が装着されていて、外筒４５の回転運動に対する抵抗にならないように嵌合面がシールされている。
【００４８】
内外連通弁２０の外側面に突設されたピン２８と係合するガイド溝３２は、外筒４５に形成されている。但しその形状は第１の実施例とは異なり、図１０に示されるように、単純なＬ字形に形成されている。その周方向の長さ（回転角）をθ度とする。
【００４９】
アダプタ筒３１には、外筒４５のガイド溝３２の内側でピン２８と係合する縦溝５１が、図１１に示されるように、軸方向に真っ直ぐに形成されている。したがって、アダプタ筒３１は内外連通弁２０に対して回転せず、外筒４５だけが、内外連通弁２０に対して軸方向に移動しない状態で、角度θだけ回転する。
【００５０】
逆止弁アダプタ３０の中程の位置に、第２のピン５２が逆止弁３６から側方に突設されていて、その第２のピン５２と係合する溝５３，５４が外筒４５とアダプタ筒３１とに形成されている。
【００５１】
第２のピン５２と係合するように外筒４５に形成された溝は、単純な縦溝５３である。したがって、外筒４５を回転させれば、第２のピン５２が、軸方向に自由に移動できる状態で外筒４５と共に回動する。
【００５２】
一方、第２のピン５２と係合するようにアダプタ筒３１に形成された溝は、図１２に示されるように、圧縮コイルバネ３７の付勢力に抗して第２のピン５２を持ち上げるためのカム溝５４である。
【００５３】
図１２において、Ａは、内外連通弁２０に逆止弁アダプタ３０が取り付けられて外筒４５が回転された位置を示しており、ガイド溝３２によって付勢された第２のピン５２がカム溝５４の底の方に位置している。
【００５４】
この状態では逆止弁３６は閉じているが、第２のピン５２はカム溝５４内で逆止弁アダプタ３０の軸線方向（図で上下方向）に移動することができるので、内視鏡１の内圧より外圧の方が一定以上低くなると、逆止弁３６が圧縮コイルバネ３７の付勢力に抗して開き方向に移動する。
【００５５】
カム溝５４のカム面は、そのＡ位置から第２のピン５２を押し上げるための斜面５４ａと、第２のピン５２を押し上げたままの位置に維持する平面５４ｂとで形成されている。
【００５６】
カム溝５４の長さは回転角度にしてθであり、Ａからθだけ回転したＢは、内外連通弁２０に対して逆止弁アダプタ３０が着脱される位置である。したがって、斜面５４ａの途中からＢまでの範囲Ｐにおいて、図１３に示されるように、カム溝５４によって逆止弁３６が強制的に開かれた状態になる。
【００５７】
上述のように構成された第３の実施例では、逆止弁アダプタ３０を内外連通弁２０に取り付けて外筒４５を回転させると、アダプタ筒３１は全く回転せず、図１４に示されるように、逆止弁３６に突設された第２のピン５２が角度θだけ回転をする。
【００５８】
そして、カム溝５４を最後まで回転させた位置を除く大半の範囲Ｐにおいて、逆止弁３６が機械的に強制的に開かれた状態になる。したがって、逆止弁アダプタ３０を内外連通弁２０から取り外す操作の間に、内視鏡１の内圧が外圧に近づくように通気動作が行われる。そして、逆止弁アダプタ３０が内外連通弁２０から取り外されれば内外連通弁２０の弁体２５が閉じる。
【００５９】
なおこの実施例では、抜け止め蓋４８の突端部に通気孔５６が穿設されていて、その開口部に多孔質膜からなる防水シート５７が取り付けられている。したがって、外部から内部への水分の侵入を防止することができる。
【００６０】
ただし、防水シート５７の存在によって、通気性も大幅にゆっくりしたものになる。そこで、逆止弁アダプタ３０を内外連通弁２０から取り外す操作があまり速く行われないようにするために、例えば図１５に示されるように、外筒４５に形成されたガイド溝３２の中間部に段差を設けたり、或いは抵抗をつけるためのクリック機構や、目視をするための目盛り等を設けるとよい。
【００６１】
また、内視鏡の内圧が上述のようにして調整される逆止弁アダプタ３０取り外し動作時間は、外筒４５の回転角度θを適宜に選択することによって変えることができるので、θを適当な角度に設定することにより、内圧調整が行われる時間の長さを任意に設定することができる。
【００６２】
また、図１６に示されるように、逆止弁３６が強制的に開かれた状態になる範囲Ｐがカム溝５４の中間部分だけになる形状にカム溝５４を形成すれば、内圧調整時間を短くすることができる。
【００６３】
なお、第３の実施例においては、逆止弁３６を強制的に開くためのカム溝５４をアダプタ筒３１に形成し、縦溝５３を外筒４５に形成したが、それを逆にしてもよい。その場合、外筒４５に形成されるカム溝５４の形状は、図１７に示されるように、アダプタ筒３１に形成される場合と左右対称形になる。
【００６４】
図１８は本発明の第４の実施例を示しており、内視鏡１に内外連通弁２０が設けられておらず、逆止弁３６が内視鏡１のライトガイドコネクタ１０に直接取り付けられたものに本発明を適用したものである。
【００６５】
そして、第３の実施例と同様の外筒４５に抜け止め蓋４８を一体的に取り付けて、これを第３の実施例のアダプタ筒３１に相当する逆止弁筒１３１に対して着脱自在なアダプタに形成している。図１９は、アダプタが取り外された状態を示している。
【００６６】
ピン２８は逆止弁筒１３１に突設されていて、それに係合するガイド溝３２は外筒４５に形成されている。逆止弁３６に突設された第２のピン５２が係合する縦溝５３とカム溝５４が、外筒４５と逆止弁筒１３１に形成されているのは第３の実施例と同じである。
【００６７】
その他の構成は、第３の実施例と機能的にほとんど変わらないので、同符号を付して、詳細な説明は省略する。６０は、圧縮コイルバネ３７の一端を受けるバネ受けである。
【００６８】
このような構成により、アダプタである外筒４５が取り付けられた状態から取り外される動作の最中には、図２０に示されるように、第３の実施例と同様にして逆止弁３６が強制的に開かれる。
【００６９】
なお、この第４の実施例において、図２１に示されるようなカム溝５４を外筒４５に形成して縦溝５３を逆止弁筒１３１に形成すれば、逆止弁筒１３１側壁の開口面積が小さくなって、異物などが溜まり難くなる利点がある。
【００７０】
【発明の効果】
本発明によれば、内視鏡の隔壁に設けられた内外連通弁から逆止弁が取り外される動作の際に、内外連通弁と逆止弁とが強制的に同時に開いた状態にされて内視鏡の内部と外部とが連通するので、逆止弁が内視鏡から取り外された状態では内視鏡の内圧が必ず大気圧に近くなる。
【００７１】
したがって、内外連通弁に逆止弁を取り付けることによって、柔軟な被覆部が破裂しないように内視鏡を減圧滅菌室に入れることができると共に、減圧滅菌後に逆止弁を取り外せば内視鏡の内圧が自動的に大気圧に近づいて、内視鏡を支障なく通常使用することができる。
【００７２】
また、内視鏡の隔壁に逆止弁が直接取り付けられたものにおいては、逆止弁からアダプタが取り外される動作の際に逆止弁が強制的に開いた状態にされて内視鏡の内部と外部とが連通するので、内視鏡の内圧が必ず大気圧に近づいて、内視鏡を支障なく通常使用することができる。
【図面の簡単な説明】
【図１】第１の実施例の逆止弁アダプタが取り外される途中の内外連通状態の縦断面図である。
【図２】第１の実施例の内視鏡の側面図である。
【図３】第１の実施例の逆止弁アダプタが取り外された状態の縦断面図である。
【図４】第１の実施例の逆止弁アダプタの正面図である。
【図５】第１の実施例の逆止弁アダプタが接続された状態の縦断面図である。
【図６】第１の実施例の逆止弁アダプタが接続された状態の縦断面図である。
【図７】第１の実施例の光源装置との接続部の斜視図である。
【図８】第２の実施例の逆止弁アダプタの縦断面図である。
【図９】第３の実施例の逆止弁アダプタが接続された状態の縦断面図である。
【図１０】第３の実施例のガイド溝の展開図である。
【図１１】第３の実施例の縦溝の正面図である。
【図１２】第３の実施例のカム溝の展開図である。
【図１３】第３の実施例の逆止弁アダプタが取り外される途中の内外連通状態の縦断面図である。
【図１４】図９における  ＸＩＶ−ＸＩＶ  平面断面図である。
【図１５】第３の実施例のガイド溝の他の例の展開図である。
【図１６】第３の実施例のカム溝の他の例の展開図である。
【図１７】第３の実施例のカム溝の他の例の展開図である。
【図１８】第４の実施例のアダプタが接続された状態の縦断面図である。
【図１９】第４の実施例のアダプタが取り外された状態の縦断面図である。
【図２０】第４の実施例のアダプタが取り外される途中の内外連通状態の縦断面図である。
【図２１】第４の実施例のカム溝の他の例の展開図である。
【符号の説明】
１  内視鏡
１０  ライトガイドコネクタ
２０  内外連通弁
２５  弁体
３０  逆止弁アダプタ
３４  押し棒
３６  逆止弁
【図１】
0003559325.tif 000002
【図２】
0003559325.tif 000003
【図３】
0003559325.tif 000004
【図４】
0003559325.tif 000005
【図５】
0003559325.tif 000006
【図６】
0003559325.tif 000007
【図７】
0003559325.tif 000008
【図８】
0003559325.tif 000009
【図９】
0003559325.tif 000010
【図１０】
0003559325.tif 000011
【図１１】
0003559325.tif 000012
【図１２】
0003559325.tif 000013
【図１３】
0003559325.tif 000014
【図１４】
0003559325.tif 000015
【図１５】
0003559325.tif 000016
【図１６】
0003559325.tif 000017
【図１７】
0003559325.tif 000018
【図１８】
0003559325.tif 000019
【図１９】
0003559325.tif 000020
【図２０】
0003559325.tif 000021
【図２１】
0003559325.tif 000022